(57)【要約】【課題】  コンテンツの仕様に影響されないハイライト操作や、操作性の向上のサポートを目的とする。【解決手段】  本光ディスク再生装置のメニュー操作解析手段は、光ディスクに記録されたメニューの操作内容を解析する。操作受付手段がユーザの操作を受け付けると、擬似的操作反映手段は、解析されたメニューの操作内容に基づき、所定のハイライト位置に擬似的なハイライトの表示を行なう。そして、前記操作受付手段で受け付けられる操作を擬似的なハイライトの表示に反映させる。すなわち、本来のハイライト位置に擬似的なハイライトの表示を行う。【選択図】  図８
2015210829.tif 000002
【特許請求の範囲】
【請求項１】
光ディスク再生装置であって、
操作を受け付ける操作受付手段と、
光ディスクに記録されたメニューの操作内容を解析するメニュー操作解析手段と、
解析されたメニューの操作内容に基づき、所定のハイライト位置に擬似的なハイライトの表示を行ない、前記操作受付手段で受け付けられる操作を擬似的なハイライトの表示に反映させる擬似的操作反映手段とを備えることを特徴とする光ディスク再生装置。
【請求項２】
前記メニュー操作解析手段は、メニューの操作内容として、ハイライト位置と、カーソルキーの操作に対応するハイライト表示の移動と、カーソルキーでのハイライト表示の移動方向と、決定キーの操作に対応する処理内容を解析し、
前記擬似的操作反映手段は、解析されたハイライト位置に基づいて疑似ハイライトと所定の疑似ハイライト表示を表示し、疑似ハイライト表示されたハイライト位置からのハイライト表示の移動方向を表示し、受け付けられるカーソルキーの操作を疑似ハイライト表示の移動に反映させ、受け付けられる操作のうち決定キーの操作に対応して所定の処理内容を実行させることを特徴とする請求項１に記載の光ディスク再生装置。
【請求項３】
前記擬似的操作反映手段は、疑似ハイライトと疑似ハイライト表示とハイライト表示の移動方向の形状を変更可能としたことを特徴とする請求項１または請求項２に記載の光ディスク再生装置。
【請求項４】
前記擬似的操作反映手段は、疑似ハイライトと疑似ハイライト表示とハイライト表示の移動方向の色を変更可能としたことを特徴とする請求項１〜請求項３のいずれかに記載の光ディスク再生装置。
【請求項５】
前記擬似的操作反映手段は、通常時は表示をせず、所定のキーの操作を受け付けることで表示を行うことを特徴とする請求項１〜請求項４のいずれかに記載の光ディスク再生装置。
【請求項６】
前記擬似的操作反映手段は、有効でないキーの操作を受け付けたときに表示を行うことを特徴とする請求項５に記載の光ディスク再生装置。
【請求項７】
光ディスクの再生方法であって、
操作を受け付ける操作受付工程と、
光ディスクに記録されたメニューの操作内容を解析するメニュー操作解析工程と、
解析されたメニューの操作内容に基づき、所定のハイライト位置に擬似的なハイライト表示を行ない、前記操作受付工程で受け付けられる操作を擬似的なハイライト表示に反映させる擬似的操作反映工程とを実行することを特徴とする光ディスク再生方法。
【発明の詳細な説明】
【技術分野】
【０００１】
本発明は、メニュー表示などが可能な光ディスク再生装置および光ディスク再生方法に関する。
【背景技術】
【０００２】
ブルーレイディスク（ＢＤ）やＤＶＤなどの光ディスクで映画を鑑賞する際、光ディスクをセットしたとき、および所定のキー操作を実行したとき、メニュー（Ｍｅｎｕ）画面が表示され、十字キー（カーソルキー）を操作してメニューのハイライト表示を移動させ、決定キーでハイライト表示されているメニュー内容の処理を選択することがある。
【０００３】
光ディスク再生時のメニュー操作等に関して、以下の特許文献が開示されている。
特許文献１は、ハイライト情報プロパティを変更するディジタル多用途ディスクのためのコンテキスト等に関する。特許文献１には、請求項１に、「ハイライト情報プロパティの少なくとも１つを変更して、視聴者に対する表示のための視認性、位置、および機能性の少なくとも１つを変更する。」との開示がある。
【０００４】
特許文献２は、ハイライトの色やコントラストを変更する記録媒体とこの記録媒体へのデータの記録装置等に関する。特許文献２には、請求項１、請求項３、請求項４、および段落００１０に、「副映像データの選択項目または確定項目に対するハイライト情報を変更する。文字の色やコントラストを変更する。」との開示がある。
特許文献３は、サブピクチャデータの色、サイズ、位置を変更するメディア再生装置とメディア再生方法等に関する。特許文献３には、請求項２〜請求項５に、「サブピクチャデータの色、サイズ、位置を変更することができる。」との開示がある。
【０００５】
特許文献４は、ハイライトとメニュー画面とを同期して変更する再生装置等に関する。特許文献４には、請求項１と図６に、「メニュー画面の遷移時において、ハイライトとメニュー画面とを同期して変更する。」との開示がある。
特許文献５は、数字キーによる入力操作が不可能な場合にはその旨を表示するデジタルビデオディスク再生装置等に関する。特許文献５には、請求項１に、「ハイライト情報に基づいて、数字キーによる入力操作が可能な場合にはその時点における入力操作が可能な数字番号を表示し、不可能な場合には数字キーによる入力操作が不可能である旨を表示する。」との開示がある。
【先行技術文献】
【特許文献】
【０００６】
【特許文献１】特許第５０３５９０１号公報
【特許文献２】特開平０８−３３９６６３号公報
【特許文献３】特開２００１−０７８１４９号公報
【特許文献４】特開２００５−１３６４９０号公報
【特許文献５】実用新案登録第３０８９５７５号公報
【発明の概要】
【発明が解決しようとする課題】
【０００７】
ハイライトが存在する光ディスクのコンテンツを再生する時に、ハイライトの見やすさや動作については、コンテンツに依存している。コンテンツによっては、ハイライトの位置が分からないとか、ハイライトを動かす毎に映像や音声が出力され操作し辛いという問題があった。
メニュー画面でハイライト表示などを行う前記特許文献においても、このような問題を解決できていない。
【０００８】
本発明は、コンテンツの仕様に影響されないハイライト操作や、操作性の向上のサポートを目的とする。
【課題を解決するための手段】
【０００９】
本発明は、光ディスク再生装置であって、操作を受け付ける操作受付手段と、光ディスクに記録されたメニューの操作内容を解析するメニュー操作解析手段と、解析されたメニューの操作内容に基づき、所定のハイライト位置に擬似的なハイライトの表示を行ない、前記操作受付手段で受け付けられる操作を擬似的なハイライトの表示に反映させる擬似的操作反映手段とを備える構成としてある。
前記構成において、本光ディスク再生装置のメニュー操作解析手段は、光ディスクに記録されたメニューの操作内容を解析する。操作受付手段がユーザの操作を受け付けると、擬似的操作反映手段は、解析されたメニューの操作内容に基づき、所定のハイライト位置に擬似的なハイライトの表示を行なう。そして、前記操作受付手段で受け付けられる操作を擬似的なハイライトの表示に反映させる。
すなわち、本来のハイライト位置に擬似的なハイライトの表示を行う。
【００１０】
本発明の他の態様として、前記メニュー操作解析手段は、メニューの操作内容として、ハイライト位置と、カーソルキーの操作に対応するハイライト表示の移動と、カーソルキーでのハイライト表示の移動方向と、決定キーの操作に対応する処理内容を解析し、前記擬似的操作反映手段は、解析されたハイライト位置に基づいて疑似ハイライトと所定の疑似ハイライト表示を表示し、疑似ハイライト表示されたハイライト位置からのハイライト表示の移動方向を表示し、受け付けられるカーソルキーの操作を疑似ハイライト表示の移動に反映させ、受け付けられる操作のうち決定キーの操作に対応して所定の処理内容を実行させる構成としてある。
【００１１】
本発明の他の態様として、前記擬似的操作反映手段は、疑似ハイライトと疑似ハイライト表示の形状を変更可能とした構成としてもよい。
本発明の他の態様として、前記擬似的操作反映手段は、疑似ハイライトと疑似ハイライト表示の色を変更可能とした構成としてもよい。
本発明の他の態様として、前記擬似的操作反映手段は、通常時は表示をせず、所定のキーの操作を受け付けることで表示を行う構成としてもよい。
【００１２】
疑似的なハイライトの表示は、万人に受け入れられるものではなく、好まないユーザもいると考えられる。このため、所定のキーの操作を行う場合だけ、表示する。
その一例として、前記擬似的操作反映手段は、有効でないキーの操作を受け付けたときに表示を行う構成としても良い。
【００１３】
なお、本発明は、光ディスク再生装置として実現されるのみならず、方法として実現することも可能であり、その意味で光ディスク再生方法として利用することもできる。より具体的には、光ディスクの再生方法であって、操作を受け付ける操作受付工程と、光ディスクに記録されたメニューの操作内容を解析するメニュー操作解析工程と、解析されたメニューの操作内容に基づき、所定のハイライト位置に擬似的なハイライト表示を行ない、前記操作受付手段で受け付けられる操作を擬似的なハイライト表示に反映させる擬似的操作反映工程とを実行する。
【発明の効果】
【００１４】
本発明の光ディスク再生装置では、擬似的なハイライトを表示し、メニュー画面でハイライトを操作する時の操作性向上を図ることができる。
【図面の簡単な説明】
【００１５】
【図１】本発明の一実施形態にかかる光ディスク再生装置のブロック図である。
【図２】ＤＶＤ−Ｖｉｄｅｏ規格におけるＨＬＩの内容を示す図である。
【図３】ハイライト一般情報ＨＬ＿ＧＩのより詳細な構造を示す図である。
【図４】ボタン色情報テーブルの内容を示す図である。
【図５】ボタン情報テーブルの構成を示す図である。
【図６】ボタン位置情報の内容を示す図である。
【図７】疑似ハイライト表示の表示例を示す図である。
【図８】制御ユニットが実行する処理をフローチャートである。
【図９】疑似ハイライトと疑似ハイライト表示とハイライト表示の移動方向の変更例を示す図である。
【図１０】制御ユニットが実行する処理をフローチャートである。
【図１１】無効キーを操作する前後の表示例を示す図である。
【発明を実施するための形態】
【００１６】
（第一実施例）
以下、図面にもとづいて本発明の実施形態を説明する。
図１は、本発明の一実施形態にかかる光ディスク再生装置をブロック図により示している。
同図において、光ディスクドライブ１１は、ブルーレイディスクやＤＶＤなどの光ディスクの再生が可能であり、制御ユニット１２によって制御されている。本実施例では、再生が可能であればよいが、記録可能なものも利用可能である。制御ユニット１２は、内部にＣＰＵやＲＯＭやＲＡＭなどを備えており、所定のプログラムを実施して本光ディスク再生装置１０全体の制御を行う。制御ユニット１２には操作パネル１３が接続されており、制御ユニット１２は本光ディスク再生装置１０の筐体に備えられている図示しない操作キーによる操作を受け付けたり、リモートコントローラー（リモコン）１４の操作キーによる操作を受け付け可能である。リモコン１４には、少なくともカーソルキー１４ａと、決定キー１４ｂとが備えられており、カーソルキー１４ａは上下左右に対応する個別の押しボタンを備えている。
このように、制御ユニット１２とリモコン１４と操作パネル１３とによってユーザの操作を受け付けるので、操作受付手段に相当する。なお、以下において、装置としての構成が手段であるのに対応し、方法としての構成は工程に相当する。
【００１７】
制御ユニット１２による制御に基づいて光ディスクドライブ１１で読み出された光ディスクの読み込みデータはデコーダ１５に入力され、同デコーダ１５が音声データに基づいてアナログまたはデジタルの音声データを復元し、また、映像データに基づいてアナログまたはデジタルの映像データを復元して出力する。なお、音声データはアンプ１６に入力され、増幅された音声信号は音声端子１６ａに出力されている。映像データは映像端子１６ｂに出力されている。
【００１８】
図２〜図６は、ＤＶＤ−Ｖｉｄｅｏ規格でＤＶＤに書き込まれるＨＬＩ（ハイライトの情報）をそれぞれ示している。
光ディスクには、光ディスクの種類に応じた各種の規格に則って、メニューを表示するためのハイライトデータが記録されている。実際には、光ディスクの種類ごとに規格上の差異があるが、共通点は多い。ブルーレイディスクの映画の場合は、ｂｕｔｔｏｎ_ｓｔｒｕｃｔｕｒｅ（）等から同様の内容を読み出すことができる。
【００１９】
メニューは、複数のボタンから構成され、ボタンをカーソルキー１４ａで選択する。選択されているボタンはハイライト表示され、カーソルキー１４ａを操作すると、選択状態にあるボタンから隣接するボタンへ選択状態が移動するとともに、ハイライト表示も移動する。カーソルキー１４ａは上下左右の方向に対応しており、各ボタンにおける隣接するボタンの方向と、カーソルキー１４ａの上下左右の方向とが対応する。また、各ボタン毎に、色の情報、位置の情報、選択されたときに実行するコマンド（処理内容）の情報などが予め決められている。ボタンはハイライトに相当する。各ボタン位置は、ハイライト位置に相当し、ボタンの色はハイライトの色に相当し、選択状態にあるボタンはハイライト表示される。
【００２０】
図２はＤＶＤ−Ｖｉｄｅｏ規格におけるＨＬＩの内容を示している。ＨＬＩは以下の構造体である。
ＨＬ＿ＧＩ：ハイライト一般情報
ＢＴＮ＿ＣＯＬＩＴ：ボタン色情報テーブル
ＢＴＮＩＴ：ボタン情報テーブル
図３は、ハイライト一般情報ＨＬ＿ＧＩのより詳細な構造を示している。
ＨＬＩ＿ＳＳ：ハイライト情報の状態
ＨＬＩ＿Ｓ＿ＰＴＭ：ハイライト開始時間
ＨＬＩ＿Ｅ＿ＰＴＭ：ハイライト終了時間
ＢＴＮ＿ＳＬ＿Ｅ＿ＰＴＭ：ボタン選択終了時間
ＢＴＮ＿ＭＤ：ボタンのモード
ＢＴＮ＿ＳＮ：ボタンスタート番号
ＢＴＮ＿Ｎｓ：有効ボタン数
ＮＳＢＴＮ＿Ｎｓ：番号で指定できるボタン数
ＦＳＬＢＴＮ＿Ｎ：強制選択ボタン番号
ＦＡＣＢＴＮ＿Ｎ：強制確定ボタン番号
【００２１】
図４はボタン色情報テーブルの内容を示している。
強調画素２の選択色コード、強調画素１の選択色コード、パターン画素の選択色コード、背景画素の選択色コード、強調画素２の選択コントラスト、強調画素１の選択コントラスト、パターン画素の選択コントラスト、背景画素の選択コントラストのそれぞれに４ビットずつが割り当てられている。
【００２２】
図５はボタン情報テーブルの構成を示している。
それぞれのボタンごとに、ボタン情報＃Ｎ（ＢＴＮＩｎ）として、ボタン位置情報（ＢＴＮ＿ＰＯＳｎ）に６バイト、隣接ボタン位置情報（ＡＪＢＴＮ＿ＰＯＳｎ）に４バイト、ボタンコマンド（ＢＴＮ＿ＣＭＤ）に８バイトが割り当てられている。
図６はボタン位置情報の内容を示している。
【００２３】
ボタン色番号に２ビット、開始Ｘ座標の上位分として６ビット、開始Ｘ座標の下位分として４ビット、リザーブに２ビット、終了Ｘ座標の上位分として２ビット、終了Ｘ座標の下位分として８ビット、オート動作モードに２ビット、スタートＹ座標の上位分として６ビット、スタートＹ座標の下位分として４ビット、リザーブに２ビット、終了Ｙ座標の上位分として２ビット、エンドＹ座標の下位分として８ビットが割り当てられている。
【００２４】
図７は疑似ハイライト表示の表示例を示している。同図（ａ）は疑似的なハイライトの表示前のメニュー画面を示し、同図（ｂ）は疑似的なハイライトの表示の初期状態を示し、同図（ｃ）はカーソルキー操作後の疑似的なハイライトの表示状態を示している。
【００２５】
本発明において、擬似的なハイライトの表示とは、
１）解析されたハイライト位置に基づいて、選択状態にないボタンの位置（ハイライト位置）に疑似ハイライトを表示し、選択状態にあるボタンの位置（ハイライト位置）に疑似ハイライト表示を表示し、疑似ハイライト表示されたボタンの位置（ハイライト位置）からのハイライト表示の移動方向を当該ボタンの近隣に表示することと、
２）受け付けられるカーソルキー１４ａの操作をカーソルの移動方向として疑似ハイライト表示の移動に反映させることを含んでいる。
【００２６】
図８は制御ユニットが実行する処理をフローチャートにより示している。
制御ユニット１２内のＣＰＵは、ＲＯＭなどに記載されている図８に示すフローチャートのプログラムを実行する。
まず、ＣＰＵは、ステップＳ１００にて、疑似的なハイライトの表示をユーザが希望しているか否かを、ユーザの操作が有るか否かで判断する。ユーザの操作は、図示しない設定操作で行う。本光ディスク再生装置１０は設定メニュー画面などを通じて設定操作が可能であり、その中の一つのオプションとして疑似的なハイライトの表示を行なうか否かの選択を行えるようにしている。ステップＳ１００では、この選択を参照し、表示を行う選択がされていれば疑似的なハイライトの表示のユーザ操作有りと判断し、表示を行う選択がされていなければ疑似的なハイライトの表示のユーザ操作有りと判断する。また、例えば、初回にはユーザの選択操作を促し、次回以降は選択操作を促すことなく前回の選択結果を反映させるということも可能である。
【００２７】
次に、ＣＰＵは、ステップＳ１０５にて、コンテンツにハイライト情報が有るか判断する。コンテンツとは光ディスクドライブ１１にセットしてある光ディスクのコンテンツを指しており、まず、光ディスクドライブ１１にて光ディスクを再生し、図２に示すＨＬＩの構造体の有無、および有ればその内容を読み出してハイライト情報の有無を判断する。この情報には、ハイライト位置、色、形状、隣接するボタンの情報、実行するボタン番号、同ボタンに対応して実行するボタンコマンドなど、図２〜図６に示す情報が含まれる。なお、ブルーレイディスクであれば、ｂｕｔｔｏｎ_ｓｔｒｕｃｔｕｒｅ（）等から同様の内容を読み出す。この処理は、光ディスクに記録されたメニューの操作内容を解析する処理に相当し、メニュー操作解析手段を構成する。具体的な解析内容は適宜変更可能であるが、本実施例の場合は、以下にも示すように、メニューの操作内容として、ハイライト位置と、カーソルキーの操作に対応するハイライト表示の移動と、カーソルキーでのハイライト表示の移動方向と、決定キーの操作に対応する処理内容を解析する。
【００２８】
ハイライト情報がある場合は、そのハイライト情報に基づいて、ＣＰＵは、ステップＳ１１０にて、疑似的なハイライトの表示を行なう。具体的には、解析されたハイライト位置に基づいて、選択状態にないボタンの位置（ハイライト位置）に疑似ハイライトを表示し、選択状態にあるボタンの位置（ハイライト位置）に疑似ハイライト表示を表示し、疑似ハイライト表示されたボタンの位置（ハイライト位置）からのハイライト表示の移動方向を当該ボタンの近隣に表示する。すなわち、解析されたメニューの操作内容に基づき、所定のハイライト位置に擬似的なハイライトの表示を行なっている。より具体的には、解析されたハイライト位置に基づいて疑似ハイライトと所定の疑似ハイライト表示を表示し、疑似ハイライト表示されたハイライト位置からのハイライト表示の移動方向を表示している。
【００２９】
図７（ａ）は、疑似的なハイライトの表示を行っていない状態のメニュー画面を示している。ここでは、最上段に水平方向に伸びるタイトル枠が表示され、その下には、水平方向に長い長四角の選択ボタンが垂直方向に四つ表示されている。それぞれ、テスト１、テスト２、テスト３、テスト４と表示されている。また、その下には、少し空白を開けて水平方向に長い長四角の選択ボタンが一つ表示されている。これはＥｘｉｔと表示されている。
【００３０】
本来であれば、このメニュー画面を表示した状態でカーソルキー１４ａを操作すると、画面のハイライト表示が移動する。デフォルトでは、選択対象としては最上段のテスト１がハイライト表示されており、カーソルキー１４ａの下向きの矢印を押し下げると、テスト１のハイライト表示が通常の表示となり、テスト２がハイライト表示となる。ここでのハイライト表示か否かでは、表示色が異なる。また、このとき、必要に応じて光ディスクの内容にアクセスすることがあり、アクセスの間はユーザも待っていなければならない。このため、下方向にハイライトを移動させたいとしても、スムーズに移動できないという煩わしさがある。
【００３１】
しかし、擬似的なハイライトの表示では、ＯＳＤにより、本来のハイライト位置に擬似的にハイライト表示などを行う。選択対象となるのは、図７（ａ）の例では、テスト１、テスト２、テスト３、テスト４、Ｅｘｉｔの各ボタンである。擬似的なハイライト表示は、各ボタンの長四角の形状に合わせて、ＯＳＤで枠を表示する。枠の色は、選択状態にあるときの疑似ハイライト表示と、選択状態にないときの疑似ハイライトの表示とで、表示色を変えている。また、最上段のテスト１の長四角に合わせてＯＳＤで疑似ハイライト表示の色で枠を表示しており、その下のテスト３とテスト４とＥｘｉｔの各ボタンには疑似ハイライトの色で枠を表示する。テスト２のボタン上では、ハイライト表示の移動方向を表示する。ハイライト表示の移動方向は、現在の疑似ハイライト表示がテスト１に重ねた枠なので、移動可能な方向は下だけである。このため、疑似ハイライト表示されたボタンの位置（ハイライト位置）を基準とするとハイライト表示の移動方向は下だけであり、ＯＳＤで下向きの表示を当該ボタンの近隣であるテスト２のボタンに重ねて表示する。この状態を、図７（ｂ）に示している。
【００３２】
ステップＳ１１５にて、最初の疑似的なハイライトの表示を行ったら、ＣＰＵは、ステップＳ１１５にて、再度、コンテンツにハイライト情報が有るか否かを判断する。コンテンツによってハイライトの表示を停止するタイミングは様々であり、カーソルキー１４ａの操作状況によっても表示を停止することがある。この場合、自動的にハイライト情報も削除される。このため、ＣＰＵは、逐次、ハイライト情報の有無を確認している。
【００３３】
ハイライト情報が有ると判断されれば、ＣＰＵは、ステップＳ１２０にて、カーソルキー１４ａの操作が有るか判断する。この判断は、何度もループ処理で繰り返し実行されるので、ユーザが同カーソルキー１４ａを操作すれば、ＣＰＵは、その操作をすぐに検知できる。カーソルキーの操作があると判断されると、ＣＰＵは、ステップＳ１２５にて、受け付けたカーソルキーの操作で疑似ハイライト表示への反映が可能か判断する。図７（ｂ）の状態であれば、操作できるのは下向きの移動だけであるから、カーソルキー１４ａのうち、下向きの矢印が操作されているのであれば、受け付けたカーソルキーの操作で疑似ハイライト表示への反映が可能と判断し、ステップＳ１３０にて、疑似的なハイライトの表示へ反映させる。すなわち、受け付けられるカーソルキー１４ａの操作をカーソルの移動方向として疑似ハイライト表示の移動に反映させる。このようにして、操作受付手段で受け付けられる操作を擬似的なハイライトの表示に反映させており、擬似的操作反映手段を構成している。
【００３４】
図７（ｃ）は、下向きのカーソルキー１４ａの操作後の画面を示している。図に示すように、テスト２のボタンの上に疑似ハイライト表示の枠が表示される。また、この状態では上下へのカーソルキー１４ａの操作が可能であり、テスト２のボタンの近隣としてテスト１とテスト３のボタンの上に、ＯＳＤでそれぞれ上向きの表示と下向きの表示をしている。なお、カーソルの移動方向の表示のために、テスト１とテスト３のボタンの上には疑似ハイライトの枠を表示できない。このような状態も表示のスペースの制限から仕方ないので、必ずしも全てのボタンに疑似ハイライトを表示する必要はない。
【００３５】
このようにカーソルキー１４ａを操作しても、擬似的なハイライトの表示を変えているにすぎず、本来のコンテンツにアクセスしていない。従って、ボタンの内容に応じて逐次光ディスクにアクセスすることはなく、ハイライト表示の移動はスムーズである。
【００３６】
一方、希望するボタンの上に疑似ハイライト表示を移動させたら、ユーザは決定キー１４ｂを押し下げる。ＣＰＵは、ステップＳ１３５にて、この決定キー１４ｂの操作が有ると判断すると、ステップＳ１４０にて、対応する処理内容を実行する。対応する処理内容とは、ステップＳ１０５にてコンテンツにハイライト情報が含まれいるか否かを解析した際に取得していた情報に基づいており、具体的には、各ボタンに対応したボタンコマンドが該当する。すなわち、決定キー１４ｂを押すまではコンテンツにアクセスすることなく疑似ハイライト表示を移動させているが、決定キー１４ｂを押し下げたことで、疑似ハイライト表示されているボタンが対応している本来のボタンコマンドを実行することになる。処理内容の実行とは、「Ｂｕｔｔｏｎ  Ｓｅｌｅｃｔ  Ａｎｄ  Ａｃｔｉｖｅ」を実行することでもある。
【００３７】
このようにして、受け付けられるカーソルキーの操作を疑似ハイライト表示の移動に反映させ、受け付けられる操作のうち決定キーの操作に対応して所定の処理内容を実行させている。
なお、カーソルキー１４ａの操作と、決定キー１４ｂの操作以外に、擬似的なハイライトの消去に対応する操作も可能であり、ユーザが擬似的なハイライトの消去を指示する操作を行っている場合は、ＣＰＵは、ステップＳ１４５にて疑似的なハイライトの消去のユーザ操作有りと判断し、ステップＳ１５０にて、疑似的なハイライトの表示を終了する。
【００３８】
ユーザの操作としては、有効なカーソルキー１４ａの操作を行い、決定キー１４ｂを押すか、その操作の途中でこのような疑似的なハイライトの表示を消去させて終了することが可能となっている。
このように、本実施例によれば、ブルーレイディスクムービー（ＢＤＭＶ）やＤＶＤ−Ｖｉｄｅｏの光ディスクに記録されているハイライト情報を利用し、擬似的なハイライトの表示をＯＳＤで表示しあり、ハイライト表示の操作ガイドとなるようにハイライト表示の移動方向をＯＳＤで表示している。
【００３９】
擬似的なハイライトの上では、軽快なハイライト表示の移動が可能であり、けっｋていきーで擬似ハイライト表示上のハイライト選択（ボタン選択）をした場合、光ディスクの規格に基づいて、対応する処理内容（Ｂｕｔｔｏｎ  Ｓｅｌｅｃｔ  Ａｎｄ  Ａｃｔｉｖｅ）を実行する
ここで、擬似的なハイライトの表示を作成するために用いる情報は、ＤＶＤ−Ｖｉｄｅｏ規格のＨＬＩから、実際のボタンごとにハイライト位置、色（選択／決定）、表示時間等を取得している。そして、ブルーレイディスクムービーであれば、ｂｕｔｔｏｎ_ｓｔｒｕｃｔｕｒｅ（）等から同じ情報を取得する。
【００４０】
図７（ｂ）（ｃ）に示すように、ハイライト情報が存在するコンテンツを再生する時、ユーザが擬似的なハイライトの表示を行うことを選択すれば、現在のハイライト表示の位置、カーソルキー１４ａで移動する先の位置、全体のハイライト位置が表示される。
ハイライト表示の移動先と、有効なカーソルキーが明確になるため、押し間違いをする問題を発生しないようにできる。また、擬似的なハイライトの表示上でのハイライト操作となるため、コンテンツの仕様に影響されずにボタン（ハイライト位置）の選択が可能となる。
【００４１】
（第二実施例）
図９は、疑似ハイライトと疑似ハイライト表示とハイライト表示の移動方向の変更例を示している。
同図（ａ）では、疑似ハイライト表示をボタン全体の長四角の枠から左端に丸い枠形状に変更し、疑似ハイライトも同様に左端にのみ正方形の枠に変更している。また、ハイライト表示の移動方向については、中抜きの矢印形状であったものを、中抜きでない矢印形状に変更すると共に表示位置を左端に寄せている。
【００４２】
また、同図（ｂ）では、疑似ハイライト表示をボタン全体の長四角の枠から左端に周縁をギザギザとした概略丸枠形状に変更し、疑似ハイライトはボタン全体の長四角の枠としつつも実線から破線の枠に変更している。また、ハイライト表示の移動方向については、中抜きの矢印形状であったものを、中抜きの正三角形として頂点方向で移動方向を示すように変更すると共に表示位置を左端に寄せている。
【００４３】
このように、擬似的なハイライトの表示上において、形状、位置を変更可能としている。
変更するためには、予めいくつかの表示パターンを用意しておき、設定画面などから好みの表示パターンをユーザが選択できるようにすればよい。変更するタイミングは、擬似的なハイライトの表示中に特定のキーを押し下げたり、もしくはセットアップ画面でのデフォルト設定で行うことが可能である。
このように、擬似的操作反映手段により、疑似ハイライトと疑似ハイライト表示とハイライト表示の移動方向の形状を変更可能としている。
【００４４】
（第三実施例）
本実施例では、表示色について変更可能としている。なお、表示色については、一例として、図４に示すコンテンツ情報に基づいてボタンの色に合わせることも可能である。しかし、ボタンに設定されている表示色と、疑似ハイライトの表示色が一致あるいは類似していると、一体感はあるものの見にくいという欠点も残る。このため、一例として、本来のボタンの色と反対色あるいは補色の関係にある色として目立ちやすくするということも可能である。
【００４５】
表示色の変更は、明るさの変更という観点も含んでいる。従って、見やすくなるように色や明るさを変更しても良い。また、擬似ハイライトは半透明にすることも可能である。
このように、擬似的操作反映手段により、疑似ハイライトと疑似ハイライト表示とハイライト表示の移動方向の色を変更可能としている。
【００４６】
（第四実施例）
擬似的なハイライトを表示するためには、ユーザが擬似的なハイライトの表示を設定画面などで有効にする必要があり、それが手間と感じるユーザもいると考えられる。そこで、ユーザが無効となるカーソルキーを押下した場合にだけ、現在のハイライト表示位置と有効なカーソルキーと移動先を２秒間だけ表示するということも可能である。
【００４７】
図１０は制御ユニットが実行する処理をフローチャートにより示している。
制御ユニット１２内のＣＰＵは、ＲＯＭなどに記載されている図１０に示すフローチャートのプログラムを実行する。
ＣＰＵは、ステップＳ２００にて、カーソルキーの操作有りと判断すると、ステップＳ２０５にて、コンテンツにハイライト情報が有るか確認した上で、ステップＳ２１０にて、無効キーの操作か否かを判断する。無効キーの操作とは、本来、ハイライト表示の移動方向として設定されていない方向を指しているカーソルキー１４ａのことである。例えば、下向きの移動だけが可能な場合に、右向きのカーソルキー１４ａを押し下げたとすると、無効キーの操作があったことになる。ユーザは、この時点で有効となるキーを理解していないということが考えられる。このため、ＣＰＵは、ステップＳ２１５にて、現在のハイライト位置と、有効キーと位置とを２秒間表示する。
【００４８】
図１１は無効キーを操作する前後の表示例を示している。
同図（ａ）は、擬似的なハイライトの表示を行っていない状態を示している。本実施例では、このような無表示がデフォルトとなる。
一方、同図（ｂ）は、無効な移動方向に対応するカーソルキー１４ａを操作したときの表示例を示しており、現在のハイライト表示の位置を強調して表示し、さらに、その下には有効なハイライト表示の移動方向と移動先とを表示している。
【００４９】
すなわち、擬似的操作反映手段は、通常時は擬似的なハイライトの表示をしておらず、所定のキーの操作を受け付けることで表示を行う。そして、この所定のキーの操作は、本実施例の場合、有効でないキーの操作を受け付けたときに相当している。
なお、本発明は前記実施例に限られるものでないことは言うまでもない。当業者であれば言うまでもないことであるが、
【００５０】
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５１】
１０…光ディスク再生装置、１１…光ディスクドライブ、１２…制御ユニット、１３…操作パネル、１４…リモートコントローラー（リモコン）、１４ａ…カーソルキー、１４ｂ…決定キー、１５…デコーダ、１６…アンプ、１６ａ…音声端子、１６ｂ…映像端子。
【図１】
2015210829.tif 000003
【図２】
2015210829.tif 000004
【図３】
2015210829.tif 000005
【図４】
2015210829.tif 000006
【図５】
2015210829.tif 000007
【図６】
2015210829.tif 000008
【図７】
2015210829.tif 000009
【図８】
2015210829.tif 000010
【図９】
2015210829.tif 000011
【図１０】
2015210829.tif 000012
【図１１】
2015210829.tif 000013